【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
ワイヤレスネットワークにおいてマシンタイプ通信（ＭＴＣ）を提供するための方法であって、
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅中の前記１つまたは複数のレガシーチャネルのうちの少なくとも１つを、前記１つまたは複数のＭＴＣ制御チャネルのうちの少なくとも１つでパンクチャすること、ここにおいて、前記少なくとも１つのレガシーチャネルは、前記広いシステム帯域幅中の前記少なくとも１つのＭＴＣ制御チャネルと複数のシンボルを重複するレガシー制御チャネルであり、
前記１つまたは複数のレガシーチャネルのうちの少なくとも１つで、前記広いシステム帯域幅中の前記１つまたは複数のＭＴＣ制御チャネルのうちの少なくとも１つを、パンクチャすること、ここにおいて、前記少なくとも１つのレガシーチャネルは、前記広いシステム帯域幅中の前記少なくとも１つのＭＴＣ制御チャネルと複数のシンボルを重複するレガシー制御チャネルであり、または、
前記１つまたは複数のレガシーチャネルのうちの少なくとも１つと衝突しない前記広いシステム帯域幅の一部分中に前記１つまたは複数のＭＴＣ制御チャネルを割り振ること、ここにおいて、前記１つまたは複数のレガシーチャネルは、前記広いシステム帯域幅全体を占有しないダウンリンク制御領域を定義するダウンリンクレガシー制御チャネルである、
のうちの１つを実行することと、
前記広いシステム帯域幅上で前記１つまたは複数のレガシーチャネルと多重化された前記１つまたは複数のＭＴＣ制御チャネルを送信することと
を備える、上記方法。
【請求項２】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトすることをさらに備える、請求項１に記載の方法。
【請求項３】
前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトすることをさらに備える、請求項１に記載の方法。
【請求項４】
システム情報ブロック中で非ＭＴＣ  ＵＥに対する禁止された周波数帯域幅を示すことをさらに備える、請求項１に記載の方法。
【請求項５】
システム情報ブロック中にＭＴＣインジケータビットを含めることをさらに備える、請求項１に記載の方法。
【請求項６】
前記ＭＴＣ制御チャネルは、前記広いシステム帯域幅のレガシーデータ領域中の複数のシンボルにわたる、請求項１に記載の方法。
【請求項７】
ＭＴＣを送信するための現在サブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することと
をさらに備える、請求項１に記載の方法。
【請求項８】
前記ＭＴＣ制御チャネルは、前記レガシー制御領域のための前記いくつかのシンボル中の最後のシンボルに続くシンボルにおいて開始する、請求項７に記載の方法。
【請求項９】
ＭＴＣに関係するデータを通信するために広いシステム帯域幅内の狭い帯域幅を割り振るための手段と、
前記狭い帯域幅内のＭＴＣ  ＵＥのための１つまたは複数のＭＴＣ制御チャネル上で通信するためにＭＴＣ制御データを生成するための手段と、
前記広いシステム帯域幅中の１つまたは複数のレガシーチャネルのうちの少なくとも１つを、前記１つまたは複数のＭＴＣ制御チャネルのうちの少なくとも１つでパンクチャすること、ここにおいて、前記少なくとも１つのレガシーチャネルは、前記広いシステム帯域幅中の前記少なくとも１つのＭＴＣ制御チャネルと複数のシンボルを重複するレガシー制御チャネルであり、
前記１つまたは複数のレガシーチャネルのうちの少なくとも１つで、前記広いシステム帯域幅中の前記１つまたは複数のＭＴＣ制御チャネルのうちの少なくとも１つを、パンクチャすること、ここにおいて、前記少なくとも１つのレガシーチャネルは、前記広いシステム帯域幅中の前記少なくとも１つのＭＴＣ制御チャネルと複数のシンボルを重複するレガシー制御チャネルであり、または、
前記１つまたは複数のレガシーチャネルのうちの少なくとも１つと衝突しない前記広いシステム帯域幅の一部分中に前記１つまたは複数のＭＴＣ制御チャネルを割り振ること、ここにおいて、前記１つまたは複数のレガシーチャネルは、前記広いシステム帯域幅全体を占有しないダウンリンク制御領域を定義するダウンリンクレガシー制御チャネルである、
のうちの１つのための手段と、
前記広いシステム帯域幅上で前記１つまたは複数のレガシーチャネルと多重化された前記１つまたは複数のＭＴＣ制御チャネルを送信するための手段と
を備える、ワイヤレス通信のための装置。
【請求項１０】
システム情報ブロック中で非ＭＴＣ  ＵＥに対する禁止された周波数帯域幅を示すための手段をさらに備える、請求項９に記載の装置。
【請求項１１】
システム情報ブロック中にＭＴＣインジケータビットを含めるための手段をさらに備える、請求項９に記載の装置。
【請求項１２】
前記ＭＴＣ制御チャネルが前記広いシステム帯域幅のレガシーデータ領域中の複数のシンボルにわたる、請求項９に記載の装置。
【請求項１３】
ＭＴＣを送信するための現在サブフレームを決定するための手段と、
前記広いシステム帯域幅のレガシー制御領域を、ＭＴＣを送信するための前記現在のサブフレームを決定することに基づいて前記シンボルに先行するいくつかのシンボルに制限するための手段と
をさらに備える、請求項１２に記載の装置。
【請求項１４】
前記割り振るための手段と、前記生成するための手段と、前記広いシステム帯域幅中の前記１つまたは複数のレガシーチャネルのうちの少なくとも１つを、前記１つまたは複数のＭＴＣ制御チャネルのうちの少なくとも１つでパンクチャすること、前記１つまたは複数のレガシーチャネルのうちの少なくとも１つで、前記広いシステム帯域幅中の前記１つまたは複数のＭＴＣ制御チャネルのうちの少なくとも１つを、パンクチャすること、または、前記１つまたは複数のＭＴＣ制御チャネルを割り振ることのうちの１つのための手段と、前記送信するための手段とが処理システムによって提供される、請求項９に記載の装置。
【請求項１５】
請求項１乃至８のうちの一項の方法のすべてのステップを実装することがコンピュータによって実行可能であるプログラム命令を備えるコンピュータプログラム製品。
【手続補正２】
【補正対象書類名】明細書
【補正対象項目名】０１１３
【補正方法】変更
【補正の内容】
【０１１３】
[00137]本明細書で説明された技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ）、ｃｄｍａ２０００などの無線技術を実装し得る。ＵＴＲＡは、時分割同期符号分割多元接続（ＴＤ−ＳＣＤＭＡ）、広い帯域ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ）などの無線技術を実装し得る。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを使用するＵＭＴＳのリリースである。ＵＴＲＡ、Ｅ−ＵＴＲＡ、ＵＭＴＳ、ＴＤ−ＳＣＤＭＡ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
以下に、本願出願の当初の特許請求の範囲に記載された発明を付記する。
［Ｃ１］  ワイヤレスネットワークにおいてマシンタイプ通信（ＭＴＣ）を供するための方法であって、
ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することと
を備える、上記方法。
［Ｃ２］  前記広いシステム帯域幅中の前記１つまたは複数のレガシーチャネルのうちの少なくとも１つを、前記１つまたは複数のＭＴＣ制御チャネルのうちの少なくとも１つでパンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１に記載の方法。
［Ｃ３］  前記１つまたは複数のレガシーチャネルのうちの少なくとも１つで、前記広いシステム帯域幅中の前記１つまたは複数のＭＴＣ制御チャネルのうちの少なくとも１つを、パンクチャすることをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１に記載の方法。
［Ｃ４］  前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトすることをさらに備える、Ｃ１に記載の方法。
［Ｃ５］  前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトすることをさらに備える、Ｃ１に記載の方法。
［Ｃ６］  システム情報ブロック中で非ＭＴＣ  ＵＥに対する禁止された周波数帯域幅を示すことをさらに備える、Ｃ１に記載の方法。
［Ｃ７］  システム情報ブロック中にＭＴＣインジケータビットを含めることをさらに備える、Ｃ１に記載の方法。
［Ｃ８］  前記ＭＴＣ制御チャネルは、前記広いシステム帯域幅のレガシーデータ領域中の複数のシンボルにわたる、Ｃ１に記載の方法。
［Ｃ９］  ＭＴＣを送信するための現在サブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することと
をさらに備える、Ｃ８に記載の方法。
［Ｃ１０］  前記ＭＴＣ制御チャネルは、前記レガシー制御領域のための前記いくつかのシンボル中の最後のシンボルに続くシンボルにおいて開始する、Ｃ９に記載の方法。
［Ｃ１１］  ＭＴＣに関係するデータを通信するために広いシステム帯域幅内の狭い帯域幅を割り振るための手段と、
前記狭い帯域幅内のＭＴＣ  ＵＥのための１つまたは複数のＭＴＣ制御チャネル上で通信するためにＭＴＣ制御データを生成するための手段と、
前記広いシステム帯域幅上で１つまたは複数のレガシーチャネルと多重化された前記１つまたは複数のＭＴＣ制御チャネルを送信するための手段と
を備える、ワイヤレス通信のための装置。
［Ｃ１２］  前記広いシステム帯域幅中の前記１つまたは複数のレガシーチャネルのうちの少なくとも１つを、前記１つまたは複数のＭＴＣ制御チャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１１に記載の装置。
［Ｃ１３］  前記広いシステム帯域幅中の前記１つまたは複数のＭＴＣ制御チャネルのうちの少なくとも１つを、前記１つまたは複数のレガシーチャネルのうちの少なくとも１つでパンクチャするための手段をさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ１１に記載の装置。
［Ｃ１４］  前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネル、のうちの少なくとも１つを周波数においてシフトするための手段をさらに備える、Ｃ１１に記載の装置。
［Ｃ１５］  前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするための手段をさらに備える、Ｃ１１に記載の装置。
［Ｃ１６］  システム情報ブロック中で非ＭＴＣ  ＵＥに対する禁止された周波数帯域幅を示すための手段をさらに備える、Ｃ１１に記載の装置。
［Ｃ１７］  システム情報ブロック中にＭＴＣインジケータビットを含めるための手段をさらに備える、Ｃ１１に記載の装置。
［Ｃ１８］  前記ＭＴＣ制御チャネルが前記広いシステム帯域幅のレガシーデータ領域中の複数のシンボルにわたる、Ｃ１１に記載の装置。
［Ｃ１９］  ＭＴＣを送信するための現在サブフレームを決定するための手段と、
前記広いシステム帯域幅のレガシー制御領域を、ＭＴＣを送信するための前記現在のサブフレームを決定することに基づいて前記シンボルに先行するいくつかのシンボルに制限するための手段と
をさらに備える、Ｃ１８に記載の装置。
［Ｃ２０］  前記ＭＴＣ制御チャネルは、前記レガシー制御領域のための前記いくつかのシンボル中の最後のシンボルに続くシンボルにおいて開始する、Ｃ１９に記載の装置。
［Ｃ２１］  ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することと
を行うように構成された処理システム
を備える、ワイヤレス通信のための装置。
［Ｃ２２］  前記処理システムは、前記広いシステム帯域幅中の前記１つまたは複数のレガシーチャネルのうちの少なくとも１つを、前記１つまたは複数のＭＴＣ制御チャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ２１に記載の装置。
［Ｃ２３］  前記処理システムは、前記広いシステム帯域幅中の前記１つまたは複数のＭＴＣ制御チャネルのうちの少なくとも１つを、前記１つまたは複数のレガシーチャネルのうちの少なくとも１つでパンクチャするようにさらに構成され、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ２１に記載の装置。
［Ｃ２４］  前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするようにさらに構成される、Ｃ２１に記載の装置。
［Ｃ２５］  前記処理システムは、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするようにさらに構成される、Ｃ２１に記載の装置。
［Ｃ２６］  前記処理システムが、システム情報ブロック中で非ＭＴＣ  ＵＥに対する禁止された周波数帯域幅を示すようにさらに構成される、Ｃ２１に記載の装置。
［Ｃ２７］  前記処理システムは、システム情報ブロック中にＭＴＣインジケータビットを含めるようにさらに構成される、Ｃ２１に記載の装置。
［Ｃ２８］  前記ＭＴＣ制御チャネルは、前記広いシステム帯域幅のレガシーデータ領域中の複数のシンボルにわたっている、Ｃ２１に記載の装置。
［Ｃ２９］  前記処理システムは、
ＭＴＣを送信するための現在のサブフレームを決定することと、
前記広いシステム帯域幅のレガシー制御領域を、ＭＴＣを送信するための前記現在のサブフレームを決定することに基づいて前記複数のシンボルに先行するいくつかのシンボルに制限することと、
を行うようにさらに構成される、Ｃ２８に記載の装置。
［Ｃ３０］  前記ＭＴＣ制御チャネルは、前記レガシー制御領域のための前記いくつかのシンボル中の最後のシンボルに続くシンボルにおいて開始する、Ｃ２９に記載の装置。
［Ｃ３１］  ＭＴＣに関係するデータを通信するために広いシステム帯域幅内の狭い帯域幅を割り振ることと、
前記狭い帯域幅内のＭＴＣ  ＵＥのための１つまたは複数のＭＴＣ制御チャネル上で通信するためにＭＴＣ制御データを生成することと、
前記広いシステム帯域幅上で１つまたは複数のレガシーチャネルと多重化された前記１つまたは複数のＭＴＣ制御チャネルを送信することと、
のためのコードを備えるコンピュータ可読媒体
を備える、コンピュータプログラム製品。
［Ｃ３２］  前記コンピュータ可読媒体が、前記広いシステム帯域幅中の前記１つまたは複数のレガシーチャネルのうちの少なくとも１つを、前記１つまたは複数のＭＴＣ制御チャネルのうちの少なくとも１つでパンクチャするためのコードをさらに備え、ここにおいて、前記少なくとも１つのレガシーチャネルは、前記広いシステム帯域幅中の前記少なくとも１つのＭＴＣ制御チャネルと複数のシンボルを重複するレガシー制御チャネルである、Ｃ３１に記載のコンピュータプログラム製品。
［Ｃ３３］  前記コンピュータ可読媒体が、前記広いシステム帯域幅中の前記１つまたは複数のＭＴＣ制御チャネルのうちの少なくとも１つを、前記１つまたは複数のレガシーチャネルのうちの少なくとも１つでパンクチャするためのコードをさらに備え、ここにおいて、前記少なくとも１つのレガシーチャネルが、前記広いシステム帯域幅中の前記少なくとも１つのＭＴＣ制御チャネルと複数のシンボルを重複するレガシー制御チャネルである、Ｃ３１に記載のコンピュータプログラム製品。
［Ｃ３４］  前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、周波数において、シフトするためのコードをさらに備える、Ｃ３１に記載のコンピュータプログラム製品。
［Ｃ３５］  前記コンピュータ可読媒体は、前記広いシステム帯域幅中の前記１つまたは複数のＭＴＣ制御チャネルのうちの少なくとも１つ、または前記少なくとも１つのＭＴＣ制御チャネルと重複する前記１つまたは複数のレガシーチャネルのうちの少なくとも１つを、時間において、シフトするためのコードをさらに備える、Ｃ３１に記載のコンピュータプログラム製品。
［Ｃ３６］  前記コンピュータ可読媒体は、システム情報ブロック中で非ＭＴＣ  ＵＥに対する禁止された周波数帯域幅を示すためのコードをさらに備える、Ｃ３１に記載のコンピュータプログラム製品。
［Ｃ３７］  前記コンピュータ可読媒体は、システム情報ブロック中にＭＴＣインジケータビットを含めるためのコードをさらに備える、Ｃ３１に記載のコンピュータプログラム製品。
［Ｃ３８］  前記ＭＴＣ制御チャネルは、前記広いシステム帯域幅のレガシーデータ領域中のシンボルにわたる、Ｃ３１に記載のコンピュータプログラム製品。
［Ｃ３９］  前記コンピュータ可読媒体は、
ＭＴＣを送信するための現在サブフレームを決定することと、
前記広いシステム帯域幅のレガシー制御領域を、ＭＴＣを送信するための前記現在サブフレームを決定することに基づいて前記シンボルに先行するいくつかのシンボルに制限することと、
のためのコードをさらに備える、Ｃ３８に記載のコンピュータプログラム製品。
［Ｃ４０］  前記ＭＴＣ制御チャネルは、前記レガシー制御領域のための前記いくつかのシンボル中の最後のシンボルに続くシンボルにおいて開始する、Ｃ３９に記載のコンピュータプログラム製品。